(57)【要約】【課題】化粧板が屋外側に倒れるのを確実に防ぐことができ、しかも、化粧板を能率良く取り付けていくことができる布基礎立ち上がり部外面への化粧板の取付け構造を提供する。【解決手段】化粧板３が、その上端部に備えられた引っ掛け部７を布基礎立ち上がり部２の天面側に引っ掛けることで上下方向に位置決めされている。そして、布基礎立ち上がり部２の天面側に倒れ阻止基部１０ｂが備えられ、倒れ阻止金物９を、一方の脚部１２が倒れ阻止基部１０ｂの内面側に突出し、もう一方の脚部１３が化粧板３の上端部の外面側に突出するように嵌合することで、化粧板３が布基礎立ち上がり部２の外面に倒れ阻止状態に保持されている。【選択図】      図１
2004176430.tif 000002
【特許請求の範囲】
【請求項１】
化粧板が布基礎立ち上がり部の外面に沿わされ、
該化粧板には、その上端部に布基礎立ち上がり部の天面側に突出する引っ掛け部が備えられ、化粧板は、この引っ掛け部を布基礎立ち上がり部の天面側に引っ掛けることで上下方向に位置決めされ、
布基礎立ち上がり部の天面側に上方に突出する倒れ阻止基部が備えられ、
下向き開放のコ字状部を備えた倒れ阻止金物が、そのコ字状部の一方の脚部を倒れ阻止基部の内面側に突出させると共に、もう一方の脚部を化粧板の上端部の外面側に突出させるようにして嵌合されることで、化粧板が布基礎立ち上がり部の外面に倒れ阻止状態に保持されていることを特徴とする布基礎立ち上がり部外面への化粧板の取付け構造。
【請求項２】
前記倒れ阻止金物のコ字状部が、横方向において隣り合う化粧板を跨いで嵌合されている請求項１に記載の布基礎立ち上がり部外面への化粧板の取付け構造。
【発明の詳細な説明】
【０００１】
【発明の属する技術分野】
本発明は、布基礎立ち上がり部外面への化粧板の取付け構造に関する。
【０００２】
【従来の技術】
例えば、コンクリート布基礎の立ち上がり部の外面側に発泡系の断熱材を備えた断熱基礎では、この断熱材の外面側にＧＲＣ等のプレキャストコンクリート板などからなる化粧板を取り付けることが行われている。その取付け構造として、従来は、化粧板を接着剤で貼り付け、化粧板の下端部は土で押さえて固定するのが普通であった。
【０００３】
【発明が解決しようとする課題】
しかしながら、上記のような接着剤による取付けでは、化粧板が基礎立ち上がり部から剥がれてしまうおそれが皆無とはいえず、剥がれを生じるようなことがあると、化粧板は、その下端部が土で押さえられているだけで、上端部を含む他の部分はフリーになり、そのため、屋外側に倒れてしまうおそれがある。
【０００４】
また、接着剤での貼り付けの際に、化粧板を所定の高さ位置に位置合わせをして貼り付けていかなければならず、その位置合わせ作業に慎重さが求められ、化粧板を能率良く取り付けていくことができないという問題もあった。
【０００５】
本発明は、上記のような問題点に鑑み、化粧板が屋外側に倒れるのを確実に防ぐことができ、しかも、化粧板を能率良く取り付けていくことができる布基礎立ち上がり部外面への化粧板の取付け構造を提供することを課題とする。
【０００６】
【課題を解決するための手段】
上記の課題は、化粧板が布基礎立ち上がり部の外面に沿わされ、
該化粧板には、その上端部に布基礎立ち上がり部の天面側に突出する引っ掛け部が備えられ、化粧板は、この引っ掛け部を布基礎立ち上がり部の天面側に引っ掛けることで上下方向に位置決めされ、
布基礎立ち上がり部の天面側に上方に突出する倒れ阻止基部が備えられ、
下向き開放のコ字状部を備えた倒れ阻止金物が、そのコ字状部の一方の脚部を倒れ阻止基部の内面側に突出させると共に、もう一方の脚部を化粧板の上端部の外面側に突出させるようにして嵌合されることで、化粧板が布基礎立ち上がり部の外面に倒れ阻止状態に保持されていることを特徴とする布基礎立ち上がり部外面への化粧板の取付け構造によって解決される。
【０００７】
この構造では、化粧板の上端部に布基礎立ち上がり部の天面側に突出する引っ掛け部が備えられ、化粧板は、この引っ掛け部を布基礎立ち上がり部の天面側に引っ掛けることで上下方向に位置決めされるようになされているから、取付け作業において、化粧板を所定の高さ位置に容易に位置決めすることができ、能率良く化粧板を取り付けていくことができる。
【０００８】
しかも、布基礎立ち上がり部の天面側に上方に突出する倒れ阻止基部と、下向き開放のコ字状部を備えた倒れ阻止金物とで、化粧板の上端部が布基礎立ち上がり部の側に保持されている構造となされているので、化粧板が屋外側に倒れるのを確実に防ぐことができる。
【０００９】
加えて、化粧板上端部の引っ掛け部が布基礎立ち上がり部の天面側から外れるのを倒れ阻止基部と倒れ阻止金物とが阻止し、取付け状態において化粧板が降下変位を起こすこともなく、適正な取付け状態を保つことができる。
【００１０】
また、倒れ阻止金物のコ字状部が、横方向において隣り合う化粧板を跨いで嵌合されている場合は、隣り合う化粧板の不陸の発生を防ぐことができ、しかも、倒れ阻止金物のコ字状部を化粧板を跨いで嵌合させるようにするだけで実現でき、簡素で構造で不陸の発生も防ぐことができる。
【００１１】
【発明の実施の形態】
次に、本発明の実施形態を図面に基づいて説明する。
【００１２】
図１に示す実施形態の取付け構造は、断熱布基礎１の立ち上がり部２の外面、即ち、屋外側の面に化粧板３を取り付ける場合のものであり、本実施形態における断熱布基礎１は、内外の発泡断熱材４，５を捨て型枠としてそれらの間にコンクリート６を打ち込んで形成されたもので、立ち上がり部２の屋外側の面は発泡断熱材４の面で構成されている。また、化粧板３は、ＧＲＣ等のプレキャストコンクリート板からなっている。
【００１３】
本取付け構造において、７は引っ掛け部、１０ｂは倒れ阻止基部、９は倒れ阻止金物である。
【００１４】
引っ掛け部７は、化粧板３の上端部に布基礎立ち上がり部２の天面側に突出するように備えられているもので、本実施形態では、図２（ニ）に示すように、角棒材７ａを化粧板３の上端部の内面に横方向に延びるように取り付けることで形成されている。化粧板３を布基礎立ち上がり部２の外面に沿わせ、そして、この引っ掛け部７を布基礎立ち上がり部２の天面部に引っ掛けることで、化粧板３は布基礎立ち上がり部２に対し上下方向に位置決め状態にセットされるようになされている。
【００１５】
倒れ阻止基部１０ｂは、上向き開放のピース物の溝形材１０を用い、その一方の脚部１０ａを、基礎１の天面にアンカーで取り付けられた土台１１の屋外側の面部に沿わせ取り付け、もう一方の脚部１０ｂを倒れ阻止基部としたもので、この倒れ阻止基部１０ｂは、基礎立ち上がり部２の天面側に土台１１から屋外側に距離をおいて上方に突出するように備えられるものである。
【００１６】
そして、倒れ阻止金物９は、上向き開放のピース物の溝形材からなっていて、そのコ字状部９ａの一方の脚部１２を倒れ阻止基部１０ｂの内面側に突出させると共に、もう一方の脚部１３を化粧板３の上端部の外面側に突出させるようにしっくりと嵌合することができるようになされたもので、この嵌合により、化粧板３の上端部を布基礎立ち上がり部２の外面部に倒れ阻止状態に保持するものである。
【００１７】
布基礎立ち上がり部２への化粧板３の取付けは、例えば次のようにして行う。即ち、図２（イ）に示すように布基礎１を形成した後、図２（ロ）に示すように、布基礎１に沿う屋外側の地面Ｇを掘って掘り溝１４を形成し、布基礎立ち上がり部２の地面下部分を露出させる。またこれと相前後して、図２（ハ）に示すように溝形材１０の取付けを行って、基礎立ち上がり部２の天面側に倒れ阻止基部１０ｂを上方に突出するように設ける。
【００１８】
そして、図２（ニ）に示すように背面部に接着剤１５を塗布した化粧板３を、図３（ホ）（ヘ）に示すように、基礎立ち上がり部２の外面部に沿わせ、引っ掛け部７を基礎立ち上がり部２の天面部に引っ掛けた状態にして、基礎立ち上がり部２の外面部に貼り付ける。この貼付け状態において、化粧板３の下端部は、掘り溝１４内に突出する。
【００１９】
しかる後、図３（ト）（チ）に示すように、倒れ阻止金物９のコ字状部９ａの一方の脚部１２を倒れ阻止基部１０ｂの内面側に突出させると共に、もう一方の脚部１３を化粧板３の上端部の外面側に突出させるように嵌合し、この倒れ阻止金物９に、化粧板３の上端部を布基礎立ち上がり部２の外面部に倒れ阻止状態となるように保持させた状態にする。そして最後に、堀り溝１４に土Ｇを埋め戻し、図１（イ）に示すように、土Ｇで化粧板３の下端部を押さえて固定する。こうして、化粧板３が取り付けられる。
【００２０】
また、本実施形態では、上記の取付け工程において、図４（イ）及び図５（ロ）に示すように、横方向において隣り合う化粧板３，３は、それらの突き合わせ部が布基礎１の延びる方向における倒れ阻止基部１０ｂの中間部に位置するように基礎立ち上がり部２に貼り付けられ、倒れ阻止金物９のコ字状部９ａは、図５（ハ）に示すように、横方向において隣り合う化粧板３，３を跨ぐようにしてしっくりと嵌合されている。
【００２１】
このように、上記の化粧板取付け構造では、化粧板３の上端部に引っ掛け部７が備えられ、この引っ掛け部７を布基礎立ち上がり部２の天面側に引っ掛けることで化粧板３が上下方向において位置決めされるようになされているので、取付け作業において、化粧板３を基礎立ち上がり部２の外面部の所定の高さ位置に容易に位置決めすることができ、化粧板３の取付けを能率良く行っていくことができる。
【００２２】
しかも、布基礎立ち上がり部２の倒れ阻止基部１０ｂと、倒れ阻止金物９とで、化粧板３の上端部を布基礎立ち上がり部２の側に倒れ阻止状態に保持するようになされているので、化粧板３が屋外側に倒れるのを確実に防ぐことができる。また、この倒れ防止作用により、接着剤１５で貼り付けられた化粧板３が剥がれるのを防ぐ作用も奏され、化粧板３をしっかりとした取付け状態に保持することができる。
【００２３】
加えて、化粧板３の上端部の引っ掛け部７が布基礎立ち上がり部２の天面側から外れるのを、倒れ阻止基部１０ｂと倒れ阻止金物９とが阻止するように作用し、取付け状態において化粧板３が降下変位を起こすのを防ぐことができて、適正な取付け状態を保つことができる。
【００２４】
また、倒れ阻止金物９のコ字状部９ａは、横方向において隣り合う化粧板３，３を跨いで嵌合されているので、隣り合う化粧板３，３を不陸なく連続させることができる。しかも、それを、倒れ阻止金物９のコ字状部９ａを化粧板３を跨いで嵌合させるようにするだけで実現でき、簡素で構造で不陸発生を防ぐことができる。
【００２５】
以上に、本発明の実施形態を示したが、本発明はこれに限られるものではなく、発明思想を逸脱しない範囲で各種の変更が可能である。例えば、上記の実施形態では、内外の発泡断熱材４，５を捨て型枠としてそれらの間にコンクリート６を打ち込んで形成された断熱布基礎１への化粧板３の取付けについて示しているが、本発明は、通常の型枠を用いてコンクリートを打込み、型枠を外して立ち上がり部の側面に発泡断熱材を後付けした断熱布基礎への取付けに用いることもできるし、また、断熱基礎以外の布基礎にも広く用いることができるものである。また、上記の実施形態では、化粧板としてＧＲＣ等のプレキャストコンクリート板を用いた場合を示しているが、板状のものであればよく、材質などに制限はない。また、本発明においていう「化粧板」の語は、屋外に露出される面を備えた板の意味であり、屋外に露出される面に意匠的な装飾が施されているか否かは問わない。また、引っ掛け部や倒れ阻止基部、倒れ阻止金物の形態に制限はなく、各種形態のものが採用されてよい。また、布基礎の天面部にそもそも備えられた部分を倒れ阻止基部として用いるようにしてもよい。また、倒れ阻止金物については、上記の実施形態のように、コ字状部のみを備えた金物であってもよいし、コ字状部を一部に含む金物であってもよい。また、上記の実施形態では、化粧板３を接着剤１５で貼り付けた場合を示しているが、接着剤による貼り付けが行われていなくてもよい。また、引っ掛け部は、上記の実施形態で示したように、１つで無回動引っ掛け状態を形成できる長物であってもよいし、複数で無回動引っ掛け状態を形成できるピース物の群からなるものであってもよい。
【００２６】
【発明の効果】
本発明の、布基礎立ち上がり部外面への化粧板の取付け構造は、以上のとおりのものであるから、化粧板が屋外側に倒れるのを確実に防ぐことができ、しかも、化粧板を能率良く取り付けていくことができる。
【図面の簡単な説明】
【図１】図（イ）は実施形態の化粧板取付け構造を示す断面側面図、図（ロ）は図（イ）の要部拡大断面側面図である。
【図２】図３と共に化粧板の取付け方法を順次に示すもので、図（イ）（ロ）（ハ）はそれぞれ断面側面図、図（ニ）は化粧板の背面側を示す斜視図である。
【図３】図（ホ）〜（チ）はそれぞれ、図２と共に化粧板の取付け方法を順次に示す断面側面図である。
【図４】図（イ）は、図５と共に、隣り合う化粧板の取付け方法を示すもので、化粧板と倒れ阻止金物を分離状態にした断面斜視図である。
【図５】図（ロ）は化粧板を引っ掛けた状態の断面斜視図、図（ハ）は倒れ阻止金物を嵌合した状態の断面斜視図である。
【符号の説明】
２…布基礎立ち上がり部
３…化粧板
７…引っ掛け部
９…倒れ阻止金物
９ａ…コ字状部
１０ｂ…倒れ阻止基部
１２…脚部
１３…脚部
【図１】
2004176430.tif 000003
【図２】
2004176430.tif 000004
【図３】
2004176430.tif 000005
【図４】
2004176430.tif 000006
【図５】
2004176430.tif 000007